(57)【要約】【課題】脱穀物タンクの下すぼまり部の内部に設けられ、脱穀物タンクから脱穀物を排出する底スクリューと、底スクリューに接続され、底スクリューからの脱穀物を搬送して機体外に向けて排出する脱穀物排出装置と、が備えられ、脱穀物タンクに、下すぼまり部の底部分に開口された点検口、及び、点検口を開閉する蓋体が備えられたコンバインにおいて、蓋体を小型かつ簡素な構造の枢支構造によってスムーズに開閉できる状態で支持できるようにする。【解決手段】蓋体２７は、底スクリュー２２のスクリュー軸芯に対して非平行な軸芯Ｐ２を揺動支点にする上下揺動によって開閉する状態で支持されている。【選択図】図２
2020014398.tif 000002
【特許請求の範囲】
【請求項１】
収穫部によって収穫された収穫物を脱穀処理する脱穀装置と、
前記脱穀装置によって得られた脱穀物を貯留すると共に、底部に形成された下すぼまり部を有する脱穀物タンクと、
前記下すぼまり部の内部に設けられ、前記脱穀物タンクから脱穀物を排出する底スクリューと、
前記底スクリューに接続され、前記底スクリューからの脱穀物を搬送して機体外に向けて排出する脱穀物排出装置と、が備えられ、
前記脱穀物タンクに、前記下すぼまり部の底部分に開口された点検口、及び、前記点検口を開閉する蓋体が備えられ、
前記蓋体は、前記底スクリューのスクリュー軸芯に対して非平行な軸芯を揺動支点にする上下揺動によって開閉するコンバイン。
【請求項２】
前記蓋体に、蓋底板部、及び、前記蓋底板部の両横端部から立ち上がる一対の蓋側板部が備えられ、
前記一対の蓋側板部は、当該蓋側板部どうしの間隔が前記蓋側板部の上端側ほど広くなる状態で、かつ、前記下すぼまり部における側板部に沿う状態で傾斜している請求項１に記載のコンバイン。
【請求項３】
前記蓋体に、当該蓋体の閉状態において前記点検口に入り込み、前記蓋底板部の内面と前記底部分の内面とを面一にする内側蓋部と、前記点検口の周囲で前記底部分の外側面に当接する外側蓋部と、が備えられ、
前記蓋底板部と前記底部分とにわたって設けられ、前記蓋体を前記下すぼまり部に揺動開閉可能に支持するヒンジ部材が備えられ、
前記ヒンジ部材を前記底部分に連結する連結軸が前記底部分から外側向きに突設されており、
前記蓋体を閉状態に固定するロック機構に、前記下すぼまり部から外側向きに突設されたネジ軸と、前記蓋側板部に形成された長孔部と、前記長孔部に挿通された前記ネジ軸に締結されるナット具とが備えられている請求項２に記載のコンバイン。
【請求項４】
前記軸芯は、前記蓋体における前記底スクリューの搬送方向上手側での端部に設けられている請求項１から３のいずれか１項に記載のコンバイン。
【請求項５】
前記点検口は、前記底部分における前記底スクリューの搬送方向での中心箇所に対して前記脱穀物排出装置が位置する側に偏倚している請求項１から４のいずれか一項に記載のコンバイン。
【発明の詳細な説明】
【技術分野】
【０００１】
本発明は、収穫部によって収穫された収穫物を脱穀処理する脱穀装置と、前記脱穀装置によって得られた脱穀物を貯留する脱穀物タンクと、が備えられたコンバインに関する。
【背景技術】
【０００２】
上記したコンバインにおいて、脱穀物タンクの底部に形成された下すぼまり部と、下すぼまり部の内部に設けられ、脱穀物タンクから脱穀物を排出する底スクリューと、底スクリューに接続され、底スクリューからの脱穀物を搬送して機体外に向けて排出する脱穀物排出装置と、が備えられものがある。このコンバインは、脱穀物タンクに貯留された脱穀物を底スクリューと脱穀物排出装置とによって脱穀物タンクから取り出すよう構成されたものである。
【０００３】
この種のコンバインにおいて、たとえば特許文献１に示されるように、脱穀物タンク（文献１では穀粒タンク）の下すぼまり部（文献１では底部）に点検口（文献１ではメンテナンス開口）が開口され、点検口を開閉する蓋体を備えられたものがある。これは、下すぼまり部に残った脱穀物を点検口から取り出す清掃などを可能にされたものである。
【先行技術文献】
【特許文献】
【０００４】
【特許文献１】特開２０１１−２２９４２９号公報
【発明の概要】
【発明が解決しようとする課題】
【０００５】
上記したコンバインにおいて、蓋体を底スクリューのスクリュー軸芯に平行な軸芯を揺動支点にして開閉するよう構成した場合、蓋体の開閉がスムーズにできるようにするのには、蓋体を下すぼまり部に揺動可能に支持させるヒンジ部材を、蓋体のうち、底スクリューの搬送方向に沿う方向での複数箇所に設けたり、ヒンジ部材の長さを、蓋体の底スクリューのスクリュー軸芯に沿う方向での長さに対応する長さにしたりする必要があるので、蓋体の枢支構造が大型になる。
【０００６】
本発明は、蓋体を小型かつ簡素な構造の枢支構造によってスムーズに開閉できる状態で支持できるコンバインを提供する。
【課題を解決するための手段】
【０００７】
本発明によるコンバインは、
収穫部によって収穫された収穫物を脱穀処理する脱穀装置と、前記脱穀装置によって得られた脱穀物を貯留すると共に、底部に形成された下すぼまり部を有する脱穀物タンクと、前記下すぼまり部の内部に設けられ、前記脱穀物タンクから脱穀物を排出する底スクリューと、前記底スクリューに接続され、前記底スクリューからの脱穀物を搬送して機体外に向けて排出する脱穀物排出装置と、が備えられ、前記脱穀物タンクに、前記下すぼまり部の底部分に開口された点検口、及び、前記点検口を開閉する蓋体が備えられ、前記蓋体は、前記底スクリューのスクリュー軸芯に対して非平行な軸芯を揺動支点にする上下揺動によって開閉するものである。
【０００８】
本構成によると、スクリュー軸芯に対して非平行な方向に沿う枢支軸芯を連結軸芯とする状態で蓋体を下すぼまり部に支持すればよいので、蓋体の枢支構造を小型に済ませつつ蓋体をスムーズに開閉できる。また、蓋体を開けると、蓋体は、蓋体のうち揺動支点側と反対側が点検口に対して下降した状態の傾斜姿勢になるので、点検口から出る脱穀物を流下案内させるガイド部材に蓋体を活用できるので、特別なガイド部材を準備しなくても脱穀物を取り出しやすい。
【０００９】
本発明においては、前記蓋体に、蓋底板部、及び、前記蓋底板部の両横端部から立ち上がる一対の蓋側板部が備えられ、前記一対の蓋側板部は、当該蓋側板部どうしの間隔が前記蓋側板部の上端側ほど広くなる状態で、かつ、前記下すぼまり部における側板部に沿う状態で傾斜していると好適である。
【００１０】
本構成によると、蓋体の閉状態において、蓋側板部が下すぼまり部の側板部に沿うので蓋体がずれ動かず、脱穀物が点検口から漏れ出ないように点検口をしっかり閉じることができる。また、点検口から出る脱穀物を流下案内させるガイド部材に蓋体を活用するとき、脱穀物が蓋側板部によって受け止められて蓋体からこぼれ出にくいので、脱穀物をより取り出しやすい。
【００１１】
本発明においては、前記蓋体に、当該蓋体の閉状態において前記点検口に入り込み、前記蓋底板部の内面と前記底部分の内面とを面一にする内側蓋部と、前記点検口の周囲で前記底部分の外側面に当接する外側蓋部と、が備えられ、前記蓋底板部と前記底部分とにわたって設けられ、前記蓋体を前記下すぼまり部に揺動開閉可能に支持するヒンジ部材が備えられ、前記ヒンジ部材を前記底部分に連結する連結軸が前記底部分から外側向きに突設されており、前記蓋体を閉状態に固定するロック機構に、前記下すぼまり部から外側向きに突設されたネジ軸と、前記蓋側板部に形成された長孔部と、前記長孔部に挿通された前記ネジ軸に締結されるナット具とが備えられていると好適である。
【００１２】
本構成によると、蓋体の閉じ状態において、蓋体の内面と底部分の内面とが面一になるので、さらに、連結軸が下すぼまり部の内部に突出しないので、点検口及び連結軸の存在にかかわらず、脱穀物が下すぼまり部の内部をスムーズに流動し、かつ、脱穀物が下すぼまり部内に残らず、脱穀物を迅速かつ取り残しなく取り出せる。
【００１３】
蓋体を開閉するとき、蓋側板部の外側でナット具を操作することによって蓋体の閉じ固定を解除したり、蓋体を閉じ状態に固定したりできるので、蓋体を開閉しやすい。
【００１４】
本発明においては、前記軸芯は、前記蓋体における前記底スクリューの搬送方向上手側での端部に設けられていると好適である。
【００１５】
本構成によると、下すぼまり部内に残っている脱穀物を底スクリューの回転によって点検口から排出させるとき、底スクリューによって押し出される脱穀物が開いている蓋体の傾斜方向に沿う方向に押し出されるので、脱穀物をスムーズに取り出せる。
【００１６】
本発明においては、前記点検口は、前記底部分における前記底スクリューの搬送方向での中心箇所に対して前記脱穀物排出装置が位置する側に偏倚していると好適である。
【００１７】
本構成によると、脱穀物排出装置の清掃と下すぼまり部の清掃とを同時に行う場合、脱穀物排出装置と蓋体とが近いので清掃作業を行ないやすい。
【図面の簡単な説明】
【００１８】
【図１】コンバインの全体を示す左側面図である。
【図２】脱穀部タンクを示す縦断後面図である。
【図３】脱穀物タンクを示す縦断側面図である。
【図４】開状態の点検口及び蓋体を示す後面図である。
【発明を実施するための形態】
【００１９】
以下、本発明の一例である実施形態を図面に基づいて説明する。
なお、以下の説明では、コンバインの機体に関し、図１に示される矢印Ｆの方向を「機体前方」、矢印Ｂの方向を「機体後方」、矢印Ｕの方向を「機体上方」、矢印Ｄの方向を「機体下方」、紙面表側の方向を「機体左方」、紙面裏側の方向を「機体右方」とする。
【００２０】
〔コンバインの全体の構成について〕
図１に示されるように、コンバインは、機体フレーム１と、機体フレーム１の前部に駆動可能に装備された左右一対の前車輪２と、機体フレーム１の後部に操向可能に装備された左右一対の後車輪３とを有する機体を備えている。機体フレーム１には、左右一対の機体前後方向に延びるメインフレーム１ａが備えられている。機体の前部に搭乗型の運転部４が形成されている。運転部４には、搭乗空間を覆うキャビン５が備えられている。機体フレーム１の前部には、収穫搬送装置６が連結されている。収穫搬送装置６には、機体の前方に設けられ、作業走行時に機体の前方に位置する水稲や麦あるいは菜種などの作物の穀稈を刈り取って収穫する収穫部７と、収穫部７の後部に前部が連結され、収穫部７が収穫した刈取り後の穀稈を搬送するフィーダ８と、が備えられている。フィーダ８は、機体左右向きの連結軸芯Ｐ１を揺動支点にして昇降する状態で機体フレーム１に連結されている。収穫部７は、フィーダ８に連結された油圧式の昇降シリンダ９の伸縮作動によってフィーダ８が揺動昇降されることにより、下降作業状態と上昇非作業状態とにわたって昇降操作される。機体の後部に、フィーダ８が搬送する刈り取り後の穀稈を脱穀対象物として受け入れて脱穀処理し、脱穀処理後の処理物に選別処理を施す脱穀装置１０が設けられている。脱穀装置１０の前部の上方に、脱穀装置１０から供給搬送装置（図示せず）によって搬送される脱穀物としての単粒化穀粒を回収して貯留する脱穀物タンク１１が設けられている。脱穀物タンク１１の下部の左横側部分に、貯留された穀粒を排出する脱穀物排出装置１２が接続されている。脱穀装置１０の後部の上方に、エンジン１３を有する原動部１４が形成されている。
【００２１】
〔収穫部の構成について〕
収穫部７においては、図１に示されるように、収穫部７の前端部における左右端部に、未刈り穀稈を収穫対象の穀稈と収穫対象外の穀稈とに梳き分けるデバイダ１５が設けられている。収穫部７の前部上方に、収穫対象穀稈の穂先側を後方に向けて掻き込む回転リール１６が設けられている。デバイダ１５の後方に、掻き込まれた穀稈の株元を切断するバリカン型の刈取装置１７が設けられている。刈取装置１７の後方に、刈取り穀稈をフィーダ８の前側箇所に寄せ集め、寄せ集めた刈取り穀稈の株元から穂先までの全体をフィーダ８に供給するオーガ１８が設けられている。
【００２２】
〔脱穀物タンク及び脱穀物排出装置の構成について〕
図１，３に示されるように、脱穀物タンク１１の前壁部１１ｆにおける下部が下端側ほど後方に位置する傾斜状態に構成され、脱穀物タンク１１の後壁部１１ｒにおける下部が下端側ほど前方に位置する傾斜状態に構成され、脱穀物タンク１１の底部に、当該底部の全幅に亘る下すぼまり部２０が形成されている。下すぼまり部２０には、図２，３に示されるように、水平姿勢の底部分２０ａと、底部分２０ａの前端部から立ち上がる前側の側板部２０ｂと、底部分２０ａの後端部から立ち上がる後側の側板部２０ｂと、が備えられている。図２に示されるように、下すぼまり部２０の脱穀物タンク左横側の端部に排出口２１が開口されている。図２，３に示されるように、下すぼまり部２０の内部に底スクリュー２２が回転可能に設けられている。下すぼまり部２０の脱穀物タンク右横側の外部において、底スクリュー２２のスクリュー軸２２ａに駆動プーリ２３が相対回転不能に支持されている。
【００２３】
図１，２に示されるように、脱穀物タンク１１の底部の左横端部分に、接続ケース２４が設けられている。脱穀物排出装置１２は、接続ケース２４から延出されている。脱穀物排出装置１２と底スクリュー２２とは、接続ケース２４を介して接続されている。脱穀物排出装置１２と底スクリュー２２とは、接続ケース２４の内部で連動連結され、底スクリュー２２から脱穀物排出装置１２への動力伝達が可能になっている。
【００２４】
具体的には、脱穀物排出装置１２は、接続ケース２４から延びるスクリューコンベヤによって構成されている。スクリューコンベヤの搬送筒が接続ケース２４を介して排出口２１に連通している。接続ケース２４の内部において、スクリューコンベヤのスクリュー軸と、底スクリュー２２のスクリュー軸２２ａとが連結され、底スクリュー２２の動力がスクリューコンベヤに伝達されるようになっている。
【００２５】
接続ケース２４は、脱穀物タンク１１に回転可能に支持されている。図１に示されるように、接続ケース２４に、油圧シリンダ２５が連結され、油圧シリンダ２５の伸縮作動による接続ケース２４の回転操作が可能になっている。
【００２６】
脱穀物タンク１１から穀粒を取り出すのには、油圧シリンダ２５によって接続ケース２４を回転操作することにより、脱穀物排出装置１２を機体の横側部に沿った格納状態から機体の横外側に張り出た使用状態に状態変更する。
【００２７】
エンジン１３の動力が駆動プーリ２３に伝達される動力伝達系をオン状態に切り換えることにより、駆動プーリ２３が駆動されて底スクリュー２２が駆動され、底スクリュー２２の動力が脱穀物排出装置１２に伝達されて、脱穀物排出装置１２が駆動される。底スクリュー２２及び脱穀物排出装置１２が駆動されると、脱穀物タンク１１に貯留されている穀粒が底スクリュー２２によって排出口２１を通して接続ケース２４の内部に排出される。接続ケース２４の内部に排出された穀粒が脱穀物排出装置１２に受け継がれて脱穀物排出装置１２によって搬送され、脱穀物排出装置１２の先端部に設けられている吐出口１２ａ（図１参照）から吐出される。
【００２８】
〔点検口及び蓋体の構成について〕
図２，３に示されるように、下すぼまり部２０に、下すぼまり部２０の底部分２０ａに開口された点検口２６、及び、点検口２６を開閉する蓋体２７が備えられている。
【００２９】
詳述すると、点検口２６は、底部分２０ａにおける底スクリュー２２の搬送方向での中心箇所に対して脱穀物排出装置１２が位置する側に偏倚する状態で設けられている。点検口２６と脱穀物排出装置１２とが近くに位置し、下すぼまり部２０に残った穀粒を点検口２６から排出する清掃などの作業と、脱穀物排出装置１２を点検するなどの作業とを同時に行いやすい。
【００３０】
図２，４に示されるように、蓋体２７における底スクリュー２２の搬送方向上手側での端部と底部分２０ａとにわたってヒンジ部材２８が設けられている。ヒンジ部材２８と底部分２０ａとの連結は、底部分２０ａから外側向きに突設された連結軸２９によって行われている。連結軸２９は、底部分２０ａの内側に突出しない状態で底部分２０ａに支持されている。具体的には、連結軸２９は、底部分２０ａの外面側に形成された支持部３０から突設されている。本実施形態では、連結軸２９として連結ネジが採用されている。連結軸２９としては、連結ネジに限らず、連結棒、連結ピンなどの採用が可能である。蓋体２７のうち、底スクリュー２２の搬送方向上手側での端部に、底スクリュー２２のスクリュー軸芯に対して非平行な枢支用の軸芯Ｐ２がヒンジ部材２８によって設けられ、蓋体２７は、軸芯Ｐ２を揺動支点にした上下揺動によって開閉する状態で下すぼまり部２０に支持されている。本実施形態では、スクリュー軸芯に対して非平行な軸芯Ｐ２として、平面視でスクリュー軸芯に対して直交する軸芯Ｐ２を採用しているが、これに限らない。本発明の構成における「スクリュー軸芯に対して非平行な軸芯」は、平面視でスクリュー軸芯に対して直交する軸芯の他、平面視でスクリュー軸芯に対して直交する角度から少しはずれた軸芯、すなわち、平面視でスクリュー軸芯に対してほぼ直交する軸芯を含む。
【００３１】
蓋体２７には、図３，４に示されるように、外側蓋部２７ａと、内側蓋部２７ｂと、が備えられている。外側蓋部２７ａには、蓋底板部２７ｃと、蓋底板部２７ｃの両横端部から立ち上がる蓋側板部２７ｄと、が備えられている。両横端部の蓋側板部２７ｄは、図４に示されるように、蓋側板部２７ｄどうしの間隔が蓋側板部２７ｄの上端側ほど広くなる状態で傾斜している。
【００３２】
図２，３に示されるように、外側蓋部２７ａは、蓋体２７の閉状態において、一方の蓋側板部２７ｄが下すぼまり部２０における前側の側板部２０ｂの外側面に沿うように、かつ、他方の蓋側板部２７ｄが下すぼまり部２０における後側の側板部２０ｂの外側面に沿うように、さらに、蓋底板部２７ｃが点検口２６の周囲で底部分２０ａの外側面に当接するように構成されている。
【００３３】
図２，３に示されるように、内側蓋部２７ｂは、蓋体２７の閉状態において、点検口２６に入り込んで蓋底板部２７ｃの内面２７Ｓと、底部分２０ａの内面２０Ｓとを面一にするように構成されている。
【００３４】
図２，３に示されるように、下すぼまり部２０の前後側と蓋体２７の遊端部とにわたり、蓋体２７を閉状態に固定するロック機構３１が設けられている。前側のロック機構３１及び後側のロック機構３１のそれぞれには、図３，４に示されるように、下すぼまり部２０の側板部２０ｂから外側向きに突設されたネジ軸３１ａと、蓋側板部２７ｄに形成された長孔部３２と、ネジ軸３１ａに締結されるナット具３１ｂとが備えられている。本実施形態では、長孔部３２として切欠き孔部が採用されているが、これに限らない。すなわち、蓋側板部２７ｄの傾斜角や立上がり長さなどによっては、蓋側板部２７ｄの上側に開口しない形状の長孔部を採用可能である。本実施形態では、ナット具３１ｂとして蝶ナットが採用されているが、これに限らない。たとえば、六角ナット、袋付きナットなど各種のナット部材の採用が可能である。
【００３５】
前側及び後側のロック機構３１においては、蓋体２７が閉状態に向かって揺動していくに伴ってネジ軸３１ａが長孔部３２に入り込んでいき、蓋体２７が閉状態になると、ネジ軸３１ａが長孔部３２を挿通した状態になる。ネジ軸３１ａが長孔部３２を挿通した状態になると、ナット具３１ｂをネジ軸３１ａに締結する。すると、ナット具３１ｂ及びネジ軸３１ａによる締め付け力によって蓋側板部２７ｄが側板部２０ｂに締め付けられて、蓋体２７が閉状態に固定される。ナット具３１ｂのネジ軸３１ａに対する締結を解除することにより、蓋側板部２７ｄの側板部２０ｂへの締め付けが解除されて蓋体２７の閉状態での固定が解除され、蓋体２７の閉状態から開状態への状態変更が可能になる。
【００３６】
通常時には、図２，３に示されるように、蓋体２７を軸芯Ｐ２が揺動支点となる状態で下すぼまり部２０に対して上昇揺動させて下すぼまり部２０に当接させると、蓋体２７が閉状態になって点検口２６が閉じられる。蓋体２７が閉状態になると、前後のネジ軸３１ａにナット具３１ｂを締結することにより、蓋体２７が前後のロック機構３１によって閉状態に固定され、脱穀物タンク１１の穀粒を底スクリュー２２と脱穀物排出装置１２とによって取り出すことができる。蓋底板部２７ｃの内面２７Ｓと底部分２０ａの内面２０Ｓとが内側蓋部２７ｂによって面一にされており、穀粒が点検口２６に入り込まないでスムーズに取り出すことができる。蓋底板部２７ｃが点検口２６の周囲で底部分２０ａの外側面に当接すると共に一対の蓋側板部２７ｄが前後側の側板部２０ｂに沿っていて点検口２６がしっかり閉じられており、穀粒が点検口２６から漏れ出ないようにしつつ取り出すことができる。
【００３７】
下すぼまり部２０に穀粒が残った場合、図４に示されるように、前後のネジ軸３１ａに対するナット具３１ｂの締結を解除し、蓋体２７を軸芯Ｐ２が揺動支点となる状態で下すぼまり部２０に対して下降揺動させると、蓋体２７の遊端側が下すぼまり部２０に対して下方に離間して蓋体２７が開状態になって点検口２６が開かれ、下すぼまり部２０の穀粒を点検口２６から取り出すことができる。脱穀物タンク１１と脱穀装置１０の天板１０ｔとの間に天板１０ｔの弧状によってできている空きスペースに蓋体２７の遊端側を入り込ませて蓋体２７の遊端側を大幅に下降させることができ、穀粒を取り出しやすい。蓋体２７は、底スクリュー２２のスクリュー軸芯に対して非平行な軸芯Ｐ２を揺動支点にして開くことにより、点検口２６から穀粒を落下案内させるガイド部材に蓋体２７を活用することができて、かつ、蓋体２７を流下する穀粒が蓋体２７からこぼれ落ちることが蓋側板部２７ｄによって防止されるので、穀粒を取り出しやすい。蓋体２７は、蓋体２７の底スクリュー２２による搬送方向上手側の端部に位置する軸芯Ｐ２を揺動支点にして開くことにより、底スクリュー２２を回転させて穀粒を底スクリュー２２によって点検口２６から押し出し排出させるとき、穀粒が開いている蓋体２７の傾斜方向に沿う方向に押し出され、穀粒がスムーズに排出される。
【００３８】
〔別実施形態〕
（１）上記した実施形態では、蓋側板部２７ｄを備える蓋体２７を採用した例を示したが、蓋側板部２７ｄを備えない平板状の蓋体を採用して実施してもよい。
【００３９】
（２）上記した実施形態では、蓋体２７における底スクリュー２２の搬送方向上手側の端部に設けられた軸芯Ｐ２を揺動支点とする蓋体２７が採用された例を示したが、蓋体２７における底スクリュー２２の搬送方向下手側の端部に設けられた軸芯を揺動支点とする蓋体を採用して実施してもよい。
【００４０】
（３）上記した実施形態では、点検口２６が底部分２０ａにおける底スクリュー２２の搬送方向での中心箇所に対して脱穀物排出装置１２が位置する側に偏倚している例を示したが、底部分２０ａにおける底スクリュー２２の搬送方向での中央部に設けて実施してもよい。また、底部分２０ａにおける底スクリュー２２の搬送方向での中心箇所に対して脱穀物排出装置１２が位置する側と反対側に偏倚する状態で設けて実施してもよい。
【００４１】
（４）上記した実施形態では、蓋体２７に内側蓋部２７ｂを設けた例を示したが、内側蓋部２７ｂを設けないで実施してもよい。
【産業上の利用可能性】
【００４２】
本発明は、前車輪及び後車輪に限らず、クローラ式走行装置、あるいは、車輪とミニクローラとを組み合わせた走行装置を有するコンバインに適用できる。
【符号の説明】
【００４３】
７          収穫部
１０        脱穀装置
１１        脱穀物タンク
１２        脱穀物排出装置
２０        下すぼまり部
２０ａ      底部分
２０ｂ      側板部
２０Ｓ      内面
２２        底スクリュー
２６        点検口
２７        蓋
２７ａ      外側蓋部
２７ｂ      内側蓋部
２７ｃ      蓋底板部
２７ｄ      蓋側板部
２７Ｓ      内面
２８        ヒンジ部材
２９        連結軸
３１        ロック機構
３１ａ      ネジ軸
３１ｂ      ナット具
３２        長孔部
【図１】
2020014398.tif 000003
【図２】
2020014398.tif 000004
【図３】
2020014398.tif 000005
【図４】
2020014398.tif 000006